(57)【要約】【課題】外見を損なうことなく、アレルギー物質の粘膜への接触を防ぐ装用部品を提供すること。【解決手段】身体に装用する部品であって、該部品を構成する基材は、波長４００ｎｍにおける屈折率が１．０〜１．１の間にあり、かつ透明であることを特徴とする。【選択図】図１
2017095823.tif 000002
【特許請求の範囲】
【請求項１】
身体に装用する部品であって、
該部品を構成する基材は、波長４００ｎｍにおける屈折率が１．０〜１．１の間にあり、かつ透明であることを特徴とする装用部品。
【請求項２】
該部品の表面形状は人力で変形可能であることを特徴とする請求項１に記載の装用部品。
【請求項３】
該部品のうち、一部が着色されていることを特徴とする請求項１又は請求項２に記載の装用部品。
【発明の詳細な説明】
【技術分野】
【０００１】
本発明は、身体に装用する部品に関し、特にフィルタ機能を有する装用部品に関する。
【背景技術】
【０００２】
従来、花粉症に代表されるアレルギー症を防ぐために、眼鏡やマスクを装用することが一般的だった。特許文献１には、アレルギー症状を治療するためのマスクが開示されている。従来のマスクや眼鏡は粘膜にアレルギー物質が接触することを塞ぐため、眼部、鼻腔、口蓋などを覆い隠すような形状がなされており、見た目を著しく害するという課題がある。
【０００３】
特許文献１は、そのような見た目を害することないように、屋内ではマスクを装用することでアレルギー症状を治療し、屋外ではマスクを装用しなくて済むような手法を開示している。
【先行技術文献】
【特許文献】
【０００４】
【特許文献１】特開２００６−１３００２２号公報
【発明の概要】
【発明が解決しようとする課題】
【０００５】
しかしながら、上述の特許文献１に開示された従来技術は屋外ではアレルギー物質の環境にさらされるため、アレルギー症状が再発するリスクが回避できない。
【課題を解決するための手段】
【０００６】
上記の課題を解決するために、本発明に係る装用部品は、
身体に装用する部品であって、
該部品を構成する基材は、波長４００ｎｍにおける屈折率が１．０〜１．１の間にあり、かつ透明であることを特徴とする。
【発明の効果】
【０００７】
本発明によれば、外見を損なうことなく、アレルギー物質の粘膜への接触を防ぐ装用部品を提供することができる。
【図面の簡単な説明】
【０００８】
【図１】マスク
【図２】微細構造と仮想媒質
【図３】本発明の装用部品使用例
【図４】従来例
【発明を実施するための形態】
【０００９】
以下に、本発明の好ましい実施の形態を、添付の図面に基づいて詳細に説明する。
【００１０】
図１は本発明の実施形態にかかわるマスクの要部概略図である。ここで１００はマスク、１０１はフィルタ機能を有するフィルタ部、１０２は耳などに保持する保持部、１０３は着色部である。マスク１００は従来のマスクと同様の形状をしている。
【００１１】
本発明のマスク１００は、フィルタ部１０１、保持部１０２を構成する基材の波長４００ｎｍでの屈折率が１．０〜１．１であることを特徴としている。また、波長４００ｎｍで透明であることを特徴としている。ここでの透明とは、透過率が７０％以上あることを指す。
【００１２】
本発明ではこのような基材の一例として、超低充填率のナノファイバーエアロゲルを利用した。一般的に、光の波長よりも十分に細かい構造では光はその構造そのものを認識できずに一様な媒質としてふるまうことが知られている。図２にその概念図を示す。
【００１３】
ここで、２００は微細構造、２０１は微細構造２００を形成する材料、２１０は一様な仮想媒質、２１１は媒質２１０を形成する仮想材料である。微細構造２００を形成する材料２０１は４００ｎｍ以下の周期で配列している。このような微細構造２００では、可視域４００〜７００ｎｍの波長の光は媒質２１０と同じような振る舞いを示す。媒質２１０を構成する仮想材料２１１の仮想的な等価屈折率ｎｅｆｆは、以下の式（１）で近似される。
【００１４】
【数１】
2017095823.tif 000003
【００１５】
ここでffは構造充填率、ｎｍは材料２０１の屈折率である。
【００１６】
この式を見ると、ffが十分に小さいとｎｅｆｆはほぼ１になることが類推される。ここでは説明のために微細構造２００は周期構造を例に挙げたが、波長以下の周期を満たすならばその構造は周期配列でなくても良い。
【００１７】
本発明では、この理論を用いて充填率を極端に下げたナノファイバーエアロゲルを用いた。まず、Ａｌ２Ｏ３ナノファイバを分散させた分散液を希釈し、８０度に加熱した。その後、ヘキサメチレンテトラミンを加えて８０度で数時間保温すると、ゲル化が始まる。その後、メタノールやイソプロピルアルコールで洗浄し、乾燥することでナノファイバーエアロゲルが得られた。得られたナノファイバーエアロゲルは、ランダムな微細構造となっており、２０ｎｍ程度の周期をもつ微細構造体となっていた。また、体積充填率１％未満、密度は１．２ｍｇ／ｃｍ３だった。
【００１８】
このような微細構造体２００の仮想媒質２１０の等価屈折率ｎｅｆｆは、１．０００３を示した。これは本発明の要件を満たしている。また、周期が波長４００ｎｍに対して十分に小さいため透過率も高く、１ｃｍ厚で９０％以上の光を透過した。これも本発明の要件を満たしている。本実施例で得たナノファイバーエアロゲルは、柔軟性を持ち、人力で変形が可能である。
【００１９】
本発明では、このような仮想媒質２１０をマスク１００のフィルタ部１０１、保持部１０２に利用した。スギに代表される花粉は直径２０μｍ以上あるため、仮想媒質２１０はフィルタとしての機能を十分に有する。また、構造が微細で可視域で透明であるため、装用していることは人には気付かれない。イメージ図を図３に示す。このように、マスクとしての機能を持ちつつ装用しても外見を害することのないマスクを提供することができる。
【００２０】
また、本実施例で得たナノファイバーエアロゲルは人力で変形可能である。そのため、装用時に各個人の表面形状に合わせて種々の変形が可能であり、装用時のアレルギー物質の接触リスクを低減することが可能である。
【００２１】
このようにアレルギー防止としての効能は有効である一方、マスク１００は基本透明なため、落としてしまうと見えにくいという課題がある。そこで、本発明では一部に着色している部分があることを特徴としている。マスク１００には、保持部１０２上に着色部１０３が存在している。着色部は装用している際に他人にも見られてしまうため、装用時は視認されにくい耳介の裏などに着色部を有することが望ましい。
【００２２】
本実施例ではマスクを例にしたが、本発明の範囲はこれに限られず装用される部品には多く展開できる。例えば眼鏡、耳あて、鼻栓などに応用できる。
【００２３】
［比較例］
本発明の比較例として、従来の花粉症対策マスク、眼鏡を装用しているイメージ図を図４に示す。このように顔の大半を覆い隠すことは、外見を著しく害しているため好ましくない。
【００２４】
以上、本発明の好ましい実施形態について説明したが、本発明はこれらの実施形態に限定されず、その要旨の範囲内で種々の変形及び変更が可能である。
【符号の説明】
【００２５】
１００  マスク、１０１  フィルタ部、１０２  保持部、１０３  着色部
【図１】
2017095823.tif 000004
【図２】
2017095823.tif 000005
【図３】
2017095823.tif 000006
【図４】
2017095823.tif 000007